(57)【要約】【課題】より複雑な揺動運動を行うことができる玩具用変位構造体を提供すること。【解決手段】玩具用変位構造体１は、一連に配設されている複数のブロック体３１ａ、３２ａから成る可撓部２と、各ブロック体３１ａ、３２ａの両側をそれぞれ貫通し、複数のブロック体の端部に位置するブロック体３３に一端４１ａ、４２ａが係止されている２本の紐状体４１、４２と、２本の紐状体４１、４２の他端４１ｂ、４２ｂを交互に引き込む駆動部５とを有し、駆動部５により２本の紐状体４１、４２の他端４１ｂ、４２ｂが交互に引き込まれることにより各ブロック体３１ａ、３２ａ間の角度が変化し、可撓部２全体が撓む。可撓部２の外側はぬいぐるみ部６によって覆われている。【選択図】図１
2008149051.tif 000002
【特許請求の範囲】
【請求項１】
玩具の肢体内部に一連に配設されている複数のブロック体から成る可撓部と、
前記各ブロック体の両側をそれぞれ貫通し、前記複数のブロック体の端部に位置するブロック体に一端が係止されている２本の紐状体と、
前記２本の紐状体の他端を交互に引き込む駆動部とを有し、
前記駆動部により前記２本の紐状体の他端が交互に引き込まれることにより、前記各ブロック体間の角度が変化し、前記可撓部が撓むことを特徴とする玩具用変位構造体。
【請求項２】
前記可撓部は、複数の前記ブロック体から成るブロック体群を複数有し、一の前記ブロック体群の撓み角度が、他の前記ブロック体群の撓み角度と異なるようになっていることを特徴とする請求項１記載の玩具用変位構造体。
【請求項３】
前記玩具用変位構造体は、前記可撓部の外側を覆うぬいぐるみ部を有する請求項１記載の玩具用変位構造体。
【発明の詳細な説明】
【技術分野】
【０００１】
本発明は、玩具の肢体内部に配設されている玩具用変位構造体に関する。
【背景技術】
【０００２】
従来、玩具の肢体等の駆動機構は、製造コストの低減を図るために簡略化された構造を有していた。例えば、動物玩具の尻尾等において当該尻尾を揺動させる場合、尻尾の基端部のみを揺動させることにより、尻尾全体が揺動運動を行うように構成されていた。
【発明の開示】
【発明が解決しようとする課題】
【０００３】
上記のように、動物玩具の尻尾等において尻尾の基端部のみを揺動させると、尻尾全体が揺動運動を行うが、実際の動物の尻尾は多数の骨と間接を有しているため尻尾全体がしなるように揺動する。このため、尻尾の基端部のみを揺動させた玩具では、動物の尻尾の揺動運動とはまったく異なる印象を与えてしまうという問題があった。
【０００４】
上記問題に鑑み、本発明は、より複雑な揺動運動を行うことができる玩具用変位構造体を提供することを目的とする。
【課題を解決するための手段】
【０００５】
本発明に係る玩具用変位構造体は、玩具の肢体内部に一連に配設されている複数のブロック体から成る可撓部と、前記各ブロック体の両側をそれぞれ貫通し、前記複数のブロック体の端部に位置するブロック体に一端が係止されている２本の紐状体と、前記２本の紐状体の他端を交互に引き込む駆動部とを有し、前記駆動部により前記２本の紐状体の他端が交互に引き込まれることにより、前記各ブロック体間の角度が変化し、前記可撓部が撓むことを特徴とする。
【０００６】
さらに、本発明に係る玩具用変位構造体は、前記可撓部が、複数の前記ブロック体から成るブロック体群を複数有し、一の前記ブロック体群の撓み角度が、他の前記ブロック体群の撓み角度と異なるようになっていることが好ましい。
【０００７】
さらに、本発明に係る玩具用変位構造体は、前記可撓部の外側を覆うぬいぐるみ部を有することが好ましい。
【発明の効果】
【０００８】
請求項１記載の本発明に係る玩具用変位構造体は、２本の紐状体が駆動部により交互に引き込まれることにより、複数のブロック体間の角度が変化し可撓部全体が撓むことを特徴としている。従って、可撓部全体が撓むことによって、動物の尻尾のような複雑な揺動運動が可能となる。
【０００９】
さらに、請求項２記載の本発明に係る玩具用変位構造体は、可撓部が複数のブロック体から成るブロック体群を有し、一のブロック体群の撓み角度は他のブロック体群の撓み角度と異なるようになっている。従って、可撓部全体の撓み角度が、ブロック体群毎に異なるため、より複雑な揺動運動が可能となる。
【００１０】
さらに、請求項３記載の本発明に係る玩具用変位構造体は、可撓部の外側がぬいぐるみ部により覆われている。このため、動物の尻尾と略同様の趣味感を表現することができる。
【発明を実施するための最良の形態】
【００１１】
以下、図１ないし図４を参照しつつ本発明の実施形態について詳細に説明する。本実施形態の玩具用変位構造体１は、一連に配設されている複数のブロック体３１ａ、３２ａから成る可撓部２と、各ブロック体３１ａ、３２ａの両側をそれぞれ貫通し、複数のブロック体の端部に位置するブロック体３３に一端４１ａ、４２ａが係止されている２本の紐状体４１、４２と、２本の紐状体４１、４２の他端４１ｂ、４２ｂを交互に引き込む駆動部５とを有し、駆動部５により２本の紐状体４１、４２の他端４１ｂ、４２ｂが交互に引き込まれることにより各ブロック体３１ａ、３２ａ間の角度が変化し、可撓部２全体が撓むことを特徴としている。
【００１２】
図１及び図２に示すように、可撓部２は一連に配設されている合成樹脂製の複数のブロック体３１ａ、３２ａから構成されている。連続して配設されている複数のブロック体３１ａはブロック体群３１を構成しており、また、連続して配設されている複数のブロック体３２ａはブロック体群３２を構成している。この可撓部２の外側はぬいぐるみ部６によって覆われている。
【００１３】
ブロック体３１ａ、３２ａは何れも略円筒状の形状を有し、何れもその両側に後述する２本の紐状体４１、４２が貫通するための穴３１ｂ、３２ｂを有している。また、各ブロック体３１ａ、３２ａは、それぞれ可撓部２の延在方向における前方側に凸部３１ｃ、３２ｃが形成され、後方側に凹部３１ｄ、３２ｄが形成されている。各ブロック体３１ａ、３２ａの凸部３１ｃ、３２ｃは、隣接している他のブロック体の凹部３１ｄ、３２ｄ内に収容されている。この凸部３１ｃ、３２ｃと凹部３１ｄ、３２ｄとにより、一連に配設されているブロック体３１ａ、３２ａによって可撓部２が可撓可能となっている。
【００１４】
各ブロック体３１ａ、３２ａと隣接している他のブロック体３１ａ、３２ａとの間には間隙３１ｅ、３２ｅが存在する。凸部３１ｃ、３２ｃの突出寸法が凹部３１ｄ、３２ｄの深さ寸法よりも大きくすることにより、この間隙３１ｅ、３２ｅが生じている。この間隙３１ｅ、３２ｅによって、各ブロック体３１ａ、３２ａと他のブロック体３１ａ、３２ａとの間の角度が一定の範囲内で変化することが可能となる。本実施形態において、可撓部２を一直線状に延ばした状態において、すべての間隙３１ｅと間隙３２ｅの間隙の幅は同一である。
【００１５】
ブロック体群３１のブロック体３１ａの延在方向における長さは、ブロック体群３２のブロック体３２ａの延在方向における長さよりも長くなっている。このため、紐状体４１または紐状体４２が引き込まれた際、ブロック体群３１の撓み角度がブロック体群３２の撓み角度よりも小さくなり、ブロック体群３１全体の撓み角度はブロック体群３２全体の撓み角度よりも小さくなる。また、他の実施形態において、ブロック体３１ａとブロック体３２ａの延在方向における長さを同一にし、間隙３１ｅの幅を間隙３２ｅの幅よりも狭くした場合でも同様の効果が得られる。このように、ブロック体群３１の撓み角度が、ブロック体群３２の撓み角度と異なるように設定することにより、動物の尻尾と同様のより複雑な揺動運動を実現することができる。
【００１６】
２本の紐状体の一端４１ａ、４２ａは、ブロック体群３２の端部に位置するブロック体３３に係止されており、また、２本の紐状体の他端４１ｂ、４２ｂは、基端部材５３の穴５３ａ、５３ｂを通じて、後述する駆動部５のスライド部材５２の各両端部に係止されている。２本の紐状体４１、４２は、スライド部材５２がスライドする度に駆動部５に交互に引き込まれる。なお、この基端部材５３は、図示しない玩具本体に固定されている。
【００１７】
駆動部５は、図３及び４に示すように、偏心部材５１ａを有する回転部材５１と、偏心部材５１ａによりスライドするスライド部材５２と、可撓部２の基端側に設けられている基端部材５３とを有している。回転部材５１は、は減速ギア（図示せず）を介して電気モータ（図示せず）により回転されている。このような駆動部５の構成により、駆動部５の薄型化を図ることができると共に、駆動部５を最小限度の部品点数により構成することができる。
【００１８】
偏心部材５１ａの外周は、スライド部材５２の断面コの字型内側部分と摺接している。このため、スライド部材５２は、回転部材５１の回転による偏心部材５１ａの偏心回転に伴い、図３及び図４に示すように左右方向にスライドする。このスライド部材５２の左右方向へスライドする度に、２本の紐状体４１、４２が駆動部５に交互に引き込まれる。
【００１９】
以下、本実施形態の作用効果を説明する。
本実施形態の玩具用変位構造体１は、２本の紐状体４１、４２が駆動部５により交互に引き込まれることにより、複数のブロック体３１ａ、３２ａ間の角度が変化し可撓部２全体が撓むことを特徴としている。従って、可撓部２の全体が撓むことによって、動物の尻尾のような複雑な揺動運動が可能となる。
【００２０】
さらに、本実施形態の玩具用変位構造体１は、可撓部２が複数のブロック体３１ａ、３２ｂから成るブロック体群３１、３２を有し、ブロック体群３１の撓み角度は他のブロック体群３２の撓み角度と異なるようになっている。従って、可撓部２の全体の撓み角度が、ブロック体群毎に異なるため、より複雑な揺動運動が可能となる。
【００２１】
さらに、本実施形態の玩具用変位構造体１は、可撓部２の外側がぬいぐるみ部６により覆われている。このため、動物の尻尾と略同様の趣味感を表現することができる。
【００２２】
なお、上記実施形態の玩具用変位構造体１の可撓部２は、２つのブロック体群３１、３２から構成されているが、ブロック体群を２以上設けることにより、さらに複雑な揺動運動を実現することが可能である。
【図面の簡単な説明】
【００２３】
【図１】本発明の実施形態に係る玩具用変位構造体１の内部構造を示す平面図である。
【図２】図１に示す玩具用変位構造体１の内部構造を示す平面図であり、可撓部２が図１に示す撓み方向の逆方向へ撓んだ状態を示している。
【図３】図１に示す玩具用変位構造体１の駆動部５の正面図であり、図１における駆動部５の状態を示している。
【図４】図１に示す玩具用変位構造体１の駆動部５の正面図であり、図２における駆動部５の状態を示している。
【符号の説明】
【００２４】
１  玩具用変位構造体
２  可撓部
３１、３２  ブロック体群
３１ａ、３２ａ、３３  ブロック体
３１ｂ、３２ｂ  穴
３１ｃ、３２ｃ  凸部
３１ｄ、３２ｄ  凹部
３１ｅ、３２ｅ  間隙
４１、４２  紐状体
４１ａ、４２ａ  一端
４１ｂ、４２ｂ  他端
５  駆動部
５１  回転部材
５１ａ  偏心部材
５２  スライド部材
５３  基端部材
５３ａ、５３ｂ  穴
６  ぬいぐるみ部
【図１】
2008149051.tif 000003
【図２】
2008149051.tif 000004
【図３】
2008149051.tif 000005
【図４】
2008149051.tif 000006